(57)【要約】【課題】  片手がふさがっているときでも、カップを机などに置くことによりカップ本体を保持しなくても自由な方の片手を使い操作して飲み口を確保（開口）できる飲み口付き蓋体を提供する。【解決手段】  環状の外周頂面１２及び外周頂面に連設して形成した保持面１３を有する頂壁１１と外周頂面に形成された飲み口１７とを備えてなるキャップ本体１０と、キャップ本体の飲み口を塞ぐ栓体３０との２つのパーツから構成され、飲料用カップのフランジ部に密着嵌合する。栓体は、キャップ本体に回動可能に支承された第１タブ片３１と、第１タブ片に連設して形成され、頂壁の保持面に沿うように立ち上がる第２タブ片３２と、第２タブ片に連設して形成され、飲み口を塞ぐ栓部３５が形成された第３タブ片３３を備えている。【選択図】        図１
2007030984.tif 000002
【特許請求の範囲】
【請求項１】
環状の外周頂面１２及び該外周頂面に連設して形成した保持面１３を有する頂壁１１と、前記外周頂面に形成された飲み口１７とを備えてなるキャップ本体１０と、
前記キャップ本体の飲み口を塞ぐ栓体３０と
の２つのパーツから構成され、飲料用カップのフランジ部に密着嵌合する飲み口付き蓋体であって、
前記栓体が、
前記キャップ本体に回動可能に支承された第１タブ片３１と、
該第１タブ片に連設して形成され、前記頂壁の保持面に沿うように立ち上がる第２タブ片３２と、
該第２タブ片に連設して形成され、前記飲み口を塞ぐ栓部３５が形成された第３タブ片３３を備えていることを特徴とする飲み口付き蓋体。
【請求項２】
環状の外周頂面１２及び該外周頂面に連設して形成した保持面１３を有する頂壁１１と、前記外周頂面に形成された飲み口１７とを備えてなるキャップ本体１０と、
前記キャップ本体の飲み口を塞ぐ栓体３０と
の２つのパーツから構成され、飲料用カップのフランジ部に密着嵌合する飲み口付き蓋体であって、
前記栓体が、
前記キャップ本体に回動可能に支承された第１タブ片３１と、
該第１タブ片に連設して形成され、前記頂壁の保持面に沿うように立ち上がる第２タブ片３２と、
該第２タブ片に連設して形成され、前記飲み口を塞ぐ栓部３５が形成された第３タブ片３３を備え、
前記キャップ本体が、
前記キャップ本体の飲み口の塞ぎを解除し前記第１のタブ片３１を中心にして回動させた前記栓部を収容し仮止めするポケット１９を備えていることを特徴とする飲み口付き蓋体。
【発明の詳細な説明】
【技術分野】
【０００１】  本発明は、飲料カップ用の飲み口付き蓋体に関するものである。
【背景技術】
【０００２】  飲み口（あるいは開口部）を備え使い捨てカップに冠着する蓋体の飲み口（開口部）を塞いでリキャップするため、シール片を用いて飲み口を塞いだり（特許文献１）、あるいは、鍔部が形成された攪拌用のマドラーをカップの開口部より挿入し鍔部により開口部を塞いだりすることが提案されている（特許文献２）。
【特許文献１】  特開平３−７８４７３
【特許文献２】  特開２００１−１２０４１４
【０００３】  しかしながら、シール片により飲み口を塞ぐタイプにあっては、
イ）飲み口に貼着したシール片を剥すのに手間をとる；
ロ）通例、シール片の裏面は糊付けされているため、カップ内の飲料を飲むためシール    片を剥したときに飲み口の回りに糊が付着残存（転着）し清潔感に欠ける；
ハ）カップに残った飲料を保持するため、一時的に指に持っていたシール片により飲み    口を塞ぎリキャップすると、指の雑菌が飲み口にそのまま付着することになるので不    衛生でありリキャップ性の点で劣る；
等の問題点があった。【０００４】  また、マドラータイプにあっては、
イ）リキャップ性はあるものの、カップ内の飲料を飲むためには、両手を使ってカップ    とマドラーを持ち、蓋体と鍔部の係合を解いてマドラーを飲み口から完全に外す必要    があり、片手しか使えないときにはカップ内の飲料を飲むことができない；
ロ）マドラーが邪魔になって重ねて搬送することができないため、スタック性の点で劣    る；
等の問題点があった。
【発明の開示】
【発明が解決しようとする課題】
【０００５】  従って本発明の目的は、従来技術の有するこのような問題点に鑑みてなされたものであり、飲み口の衛生の維持が容易な飲み口付き蓋体を提供することにある。【０００６】  本発明の他の目的は、カップに残った飲料を保持する際に片手にても衛生的にリキャップできリキャップ性の点で優れた飲み口付き蓋体を提供することにある。【０００７】  本発明のもう一つ他の目的は、片手がふさがっているときでも、カップを机などに置くことによりカップ本体を保持しなくても自由な方の片手を使い操作して飲み口を確保（開口）できる飲み口付き蓋体を提供することにある。【０００８】  本発明のさらにもう一つ他の目的は、栓体は折込部によりタブ片を折込めるため、流通時に重ねられスタック性の点で優れた飲み口付き蓋体を提供することにある。
【課題を解決するための手段】
【０００９】  本発明の飲料用カップの蓋体は、キャップ本体とキャップ本体の飲み口を塞ぐ栓体の２つのパーツから構成され、飲料用カップのフランジ部に密着嵌合させて使用する。キャップ本体は、環状の外周頂面及びこの外周頂面に連設して形成した保持面を有する頂壁と、外周頂面に形成された飲み口とを備えている。栓体は、キャップ本体に回動可能に支承された第１タブ片と、第１タブ片に連設して形成され、頂壁の保持面に沿うように立ち上がる第２タブ片と、第２タブ片に連設して形成され、飲み口を塞ぐ栓部が形成された第３タブ片を備えている。
【発明の効果】
【００１０】  以上のような本発明によれば、次の効果を奏する。
（１）飲み口の衛生の維持が容易な飲み口付き蓋体が得られる。
（２）カップに残った飲料を保持する際に片手にても衛生的にリキャップでき、リキャ      ップ性の点で優れた飲み口付き蓋体が得られる。
（３）片手がふさがっているときでも、カップを机などに置くことによりカップ本体を      保持しなくても自由な方の片手を使い操作して飲み口を確保（開口）できる飲み口      付き蓋体が得られる。
（４）栓体は折込めるため蓋体を重ねて搬送でき、スタック性の点で優れた飲み口付き      蓋体が得られる。
【発明の実施をするための最良の形態】
【００１１】  飲料用カップの蓋体は、環状の外周頂面及びこの外周頂面に連設して形成した保持面を有する頂壁と、外周頂面に形成された飲み口とを備え、飲料用カップのフランジ部に密着嵌合するキャップ本体と、キャップ本体の飲み口を塞ぐ栓体の２つのパーツから構成される。栓体は、キャップ本体に回動可能に支承された第１タブ片と、第１タブ片に連設して形成され、頂壁の保持面に沿うように立ち上がる第２タブ片と、第２タブ片に連設して形成され、飲み口を塞ぐ栓部が形成された第３タブ片を備えている。
【００１２】  キャップ本体は、キャップ本体の飲み口の塞ぎを解除し第１のタブ片を中心に回動させた栓部を収容し仮止めするポケットを備えるようにするとよい。
【実施例】
【００１３】  実施例について図面を参照して説明する。
図１は、本発明に係る蓋体をカップに冠着し、蓋体を構成するキャップ本体の飲み口を栓体により塞ぎセットした状態を示す斜視図、
図４は、３体をカップに冠着し、栓部をキャップ本体の飲み口から取り外して飲み口を開口し、栓部を回動してキャップ本体に形成したポケットに仮止めした状態を示す斜視図、
図１０は、蓋体を構成する栓体を折込部より折込んだ状態を示す斜視図、
図１４は、蓋体を構成するキャップ本体をカップに冠着した状態の部分拡大端面略図である。【００１４】  これらの図において、飲料用カップの蓋体２は、キャップ本体１０と、このキャップ本体１０の飲み口１７を塞ぐ栓体３０の２つのパーツから構成され、飲料用カップのフランジ部に密着嵌合する。【００１５】  前記キャップ本体１０は、環状の外周頂面１２と、この外周頂面１２に連設して形成し、傾斜面として形成される保持面１３とを有する頂壁１１と、該頂壁１１の外周頂面１２より垂下して形成した側周壁１４と、該側周壁１４の端部より水平に延出され、飲食用カップ４０のフランジ部４１（図１４参照）に当接するよう形成された環状嵌合部１５を具備している。そして、この環状嵌合部１５は飲料用カップ４０のフランジ部４１を抱持する。さらに、キャップ本体１０の開口部の外径を飲料用カップ４０のフランジ部４１の外径より若干大径に形成して、前記環状嵌合部１５において飲料用カップ４０のフランジ部４１を嵌合した状態での位置ずれを防止するスカート部２１を具備し、飲料用カップ内の内容物が前記環状嵌合部１５より浸潤・液漏れが起こらない構造としてある（図１４参照）。【００１６】  前記頂壁１１は、中央に凹陥部１６を備え、この凹陥部１６は、製品充填時には自動供給のための吸盤吸着面として寄与し、飲食時には鼻逃げとなる。前記頂壁１１の外周頂面１２は口当て部となるもので、この外周頂面１２には、飲み口１７が形成されている。【００１７】  前記凹陥部１６の略中央には、前記栓体３０の基端部を回動可能に支承する断面逆テーパ状の凹所１８が形成され、さらに、前記頂壁１１における前記凹所１８を中心とした前記飲み口１７の反対側には、前記キャップ本体１０の飲み口１７の塞ぎを解除し第１のタブ片３１を中心に回動させた前記栓部３５を収容し仮止めするポケット１９が形成されている。【００１８】  前記栓体３０は、前記キャップ本体１０に回動可能に支承された第１タブ片３１と、該第１タブ片３１に連設して形成され、前記頂壁１１の保持面１３に沿うように立ち上がる第２タブ片３２と、該第２タブ片３２に連設して形成され、前記飲み口１７を塞ぐ栓部３５が形成された第３タブ片３３を備えている。前記第１タブ片３１の下面側には、前記凹陥部１６の略中央に形成された断面逆テーパ状凹所１７に没入し回動可能に支承される断面逆テーパ状の突部３６が形成されている。符号３４は摘み片である。【００１９】  前記第１タブ片３１と前記第２タブ片３２は薄肉の第１折込部３７により連設され、前記第２タブ片３２と前記第３タブ片３３は薄肉の第２折込部３８により連設され、さらに、前記第３タブ片３３と前記摘み片３４は薄肉の第３折込部３９により連設される。前記各折込部は断面略Ｖ字状の条溝により形成され、かつ、第１折込部３７と第２折込部３８は反対面に形成され、第１折込部３７及び第２折込部３８を折込むことにより、前記第２タブ片３２は、上述のとおり、前記頂壁１１の保持面１３に沿うように立ち上がる（図１、図１０参照）。
【図面の簡単な説明】
【００２０】
【図１】  本発明に係る蓋体をカップに冠着し、蓋体を構成するキャップ本体の飲み口を栓体により塞ぎセットした状態を示す斜視図である。
【図２】  蓋体をカップに冠着し、蓋体を構成するキャップ本体の飲み口を栓体により塞ぎセットした状態を示す平面図である。
【図３】  蓋体をカップに冠着し、蓋体を構成するキャップ本体の飲み口を栓体により塞ぎセットした状態を示す正面図である。
【図４】  本発明に係る蓋体をカップに冠着し、栓部をキャップ本体の飲み口から取外して飲み口を開口し、栓部を回動してキャップ本体に形成したポケットに仮止めした状態を示す斜視図である。
【図５】  蓋体をカップに冠着し、栓部をキャップ本体の飲み口から取外して飲み口を開口し、栓部を回動してキャップ本体に形成したポケットに仮止めした状態を示す平面図である。
【図６】  蓋体をカップに冠着し、栓部をキャップ本体の飲み口から取外して飲み口を開口し、栓部を回動してキャップ本体に形成したポケットに仮止めした状態を示す正面図である。
【図７】  本発明に係る蓋体を構成する栓体の斜視図である。
【図８】  蓋体を構成する栓体の平面図である。
【図９】  蓋体を構成する栓体の正面図である。
【図１０】  蓋体を構成する栓体を折込部により折込んだ状態を示す斜視図である。
【図１１】  本発明に係る蓋体を構成するキャップ本体の斜視図である。
【図１２】  蓋体を構成するキャップ本体の平面図である。
【図１３】  蓋体を構成するキャップ本体の正面図である。
【図１４】  本発明に係る蓋体を構成するキャップ本体をカップに冠着した状態の部分拡大端面略図である。
【符号の説明】
【００２１】  ２    蓋体
１０    キャップ本体
１１    頂壁
１２    外周頂面
１３    保持面
１４    側周壁
１５    環状嵌合部
１６    凹陥部
１７    飲み口
１８    凹所
１９    ポケット
３０    栓体
３１    第１タブ片
３２    第２タブ片
３３    第３タブ片
３４    摘み片
３５    栓部
３６    突部
３７    第１折込部
３８    第２折込部
３９    第３折込部
４０    飲料用カップ
４１    フランジ部
【図１】
2007030984.tif 000003
【図２】
2007030984.tif 000004
【図３】
2007030984.tif 000005
【図４】
2007030984.tif 000006
【図５】
2007030984.tif 000007
【図６】
2007030984.tif 000008
【図７】
2007030984.tif 000009
【図８】
2007030984.tif 000010
【図９】
2007030984.tif 000011
【図１０】
2007030984.tif 000012
【図１１】
2007030984.tif 000013
【図１２】
2007030984.tif 000014
【図１３】
2007030984.tif 000015
【図１４】
2007030984.tif 000016